(57)【要約】【課題】照度センサーの故障を検出可能なプロジェクターを提供する。【解決手段】プロジェクター１は、投写レンズ１３を覆う閉状態と投写レンズ１３を露出させて画像光を外部に投写させる開状態とを切替可能なレンズシャッター４１と、レンズシャッター４１の投写レンズ１３に対向する面に設置される照度センサー４２と、光源（光源ランプ１１ａ）を点灯させるためのオン操作を受け付けるオン操作受付部（操作パネル２１）と、レンズシャッター４１が閉状態において、オン操作受付部がオン操作を受け付けると、光源を点灯させる光源点灯部（光源制御部２２）と、光源が点灯した状態で、照度センサー４２から出力される照度情報に基づいて、照度センサー４２の動作状態を検証するセンサー検証部（制御部２０）と、センサー検証部によって動作状態が不正であると判定された場合に、光源を消灯する光源消灯部（光源制御部２２）と、を備える。【選択図】図２
2014142388.tif 000002
【特許請求の範囲】
【請求項１】
光源と、前記光源から射出された光を、画像情報に応じて画像光に変調する光変調装置と、前記光変調装置で変調された前記画像光を投写する投写レンズとを有するプロジェクターであって、
前記投写レンズの射出側に備えられ、前記投写レンズを覆う閉状態と前記投写レンズを露出させて前記画像光を外部に投写させる開状態とを切替可能なレンズシャッターと、
前記レンズシャッターの前記投写レンズに対向する面に設置される照度センサーと、
前記光源を点灯させるためのオン操作を受け付けるオン操作受付部と、
前記レンズシャッターが閉状態において、前記オン操作受付部が前記オン操作を受け付けると、前記光源を点灯させる光源点灯部と、
前記光源が点灯した状態で、前記照度センサーから出力される照度情報に基づいて、前記照度センサーの動作状態を検証するセンサー検証部と、
前記センサー検証部によって前記動作状態が不正であると判定された場合に、前記光源を消灯する光源消灯部と、
を備えることを特徴とするプロジェクター。
【請求項２】
請求項１に記載のプロジェクターであって、
前記センサー検証部によって前記動作状態が不正であると判定された場合に、前記照度センサーの動作が不正である旨を報知するセンサー不正報知部をさらに備えることを特徴とするプロジェクター。
【請求項３】
請求項１または２に記載のプロジェクターであって、
前記センサー検証部によって前記動作状態が正当であると判定された場合に、開状態となるように前記レンズシャッターを駆動させるシャッター開放部と、
前記シャッター開放部が前記レンズシャッターを駆動させた後に、前記照度センサーから出力される照度情報に基づいて、前記レンズシャッターが開状態となったか否かを判定するシャッター判定部と、
をさらに備え、
前記シャッター判定部によって前記レンズシャッターが開状態でないと判定された場合に、前記光源消灯部は、前記光源を消灯することを特徴とするプロジェクター。
【請求項４】
請求項３に記載のプロジェクターであって、
前記レンズシャッターが開状態となった後、前記シャッター判定部は、所定のタイミング毎に、前記レンズシャッターが開状態であるか否かの判定を行い、判定結果が開状態でない場合に、前記光源消灯部は、前記光源を消灯することを特徴とするプロジェクター。
【請求項５】
請求項３または４に記載のプロジェクターであって、
前記シャッター判定部の判定結果が、開状態でない場合に、前記レンズシャッターが開状態となっていない旨を報知するシャッター異常報知部をさらに備えることを特徴とするプロジェクター。
【請求項６】
光源と、前記光源から射出された光を、画像情報に応じて画像光に変調する光変調装置と、前記光変調装置で変調された前記画像光を投写する投写レンズと、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、を有するプロジェクターの制御方法であって、
前記光源を点灯させるためのオン操作を受け付けるオン操作受付ステップと、
前記レンズシャッターが閉状態において、前記オン操作受付ステップによって前記オン操作を受け付けると、前記光源を点灯させる光源点灯ステップと、
前記光源が点灯した状態で、前記照度センサーから出力される照度情報に基づいて、前記照度センサーの動作状態を検証するセンサー検証ステップと、
前記センサー検証ステップによって前記動作状態が不正であると判定された場合に、前記光源を消灯する光源消灯ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクターにおいて、光源ランプが点灯した状態でレンズカバー（レンズシャッター）を閉めると、光源ランプの熱により、レンズカバーやプロジェクター内部が過熱する虞があった。このため、レンズカバーが閉められた場合には、レンズカバーに備えられた照度センサーによって光源ランプが点灯されているか否かを判断し、点灯されている場合には、光源ランプを消灯するプロジェクターが開示されている（例えば、特許文献１）。
【先行技術文献】
【特許文献】
【０００３】
【特許文献１】特開２００７−１７１８７２号公報
【発明の概要】
【発明が解決しようとする課題】
【０００４】
しかしながら、照度センサーが故障してしまうと、レンズカバー（レンズシャッター）が閉じられた際に光源ランプの点灯を検出できない場合がある。このような場合には、レンズカバーやプロジェクター内部が過熱する虞がある。このため、照度センサーの故障（異常）を検出可能なプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を、画像情報に応じて画像光に変調する光変調装置と、前記光変調装置で変調された前記画像光を投写する投写レンズとを有するプロジェクターであって、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、前記光源を点灯させるためのオン操作を受け付けるオン操作受付部と、前記レンズシャッターが閉状態において、前記オン操作受付部が前記オン操作を受け付けると、前記光源を点灯させる光源点灯部と、前記光源が点灯した状態で、前記照度センサーから出力される照度情報に基づいて、前記照度センサーの動作状態を検証するセンサー検証部と、前記センサー検証部によって前記動作状態が不正であると判定された場合に、前記光源を消灯する光源消灯部と、を備えることを特徴とする。
【０００７】
このようなプロジェクターによれば、レンズシャッターは、投写レンズを閉状態または開状態に切り替える。ここで、閉状態とは、レンズシャッターが完全に閉塞された状態を示し、開状態とは、レンズシャッターが完全に開放された状態を示す。照度センサーは、レンズシャッターの投写レンズに対向する面に設置される。光源点灯部は、レンズシャッターが閉状態において、光源を点灯させるためのオン操作を受け付けると、光源を点灯する。センサー検証部は、光源が点灯した状態で、照度センサーから出力される照度情報に基づいて、照度センサーの動作状態を検証する。光源消灯部は、照度センサーの動作状態が不正である場合に、光源を消灯する。これにより、照度センサーの故障を検出し、レンズシャッターやプロジェクター内部の過熱を防止することが可能になる。
【０００８】
［適用例２］上記適用例に係るプロジェクターにおいて、前記センサー検証部によって前記動作状態が不正であると判定された場合に、前記照度センサーの動作が不正である旨を報知するセンサー不正報知部をさらに備えることを特徴とする。
【０００９】
このようなプロジェクターによれば、センサー不正報知部は、照度センサーの動作状態が不正であると判定された場合に、その旨を報知する。これにより、ユーザーは、照度センサーの故障を認識することができる。
【００１０】
［適用例３］上記適用例に係るプロジェクターにおいて、前記センサー検証部によって前記動作状態が正当であると判定された場合に、開状態となるように前記レンズシャッターを駆動させるシャッター開放部と、前記シャッター開放部が前記レンズシャッターを駆動させた後に、前記照度センサーから出力される照度情報に基づいて、前記レンズシャッターが開状態となったか否かを判定するシャッター判定部と、をさらに備え、前記シャッター判定部によって前記レンズシャッターが開状態でないと判定された場合に、前記光源消灯部は、前記光源を消灯することを特徴とする。
【００１１】
このようなプロジェクターによれば、シャッター開放部は、照度センサーの動作状態が正当であると判定された場合に、レンズシャッターが開状態となるように駆動させる。そして、シャッター判定部は、レンズシャッターを駆動後に、照度センサーから出力される照度情報に基づいて、レンズシャッターが開状態となったか否かを判定する。そして、レンズシャッターが開状態でないと判定された場合には、光源を消灯する。これにより、レンズシャッターの故障（異常）を検出し、レンズシャッターやプロジェクター内部の過熱を防止することが可能になる。
【００１２】
［適用例４］上記適用例に係るプロジェクターにおいて、前記レンズシャッターが開状態となった後、前記シャッター判定部は、所定のタイミング毎に、前記レンズシャッターが開状態であるか否かの判定を行い、判定結果が開状態でない場合に、前記光源消灯部は、前記光源を消灯することを特徴とする。
【００１３】
このようなプロジェクターによれば、レンズシャッターが開状態となった後、所定のタイミング毎に、レンズシャッターが開状態であるか否かの判定を行い、判定結果が開状態でない場合に、光源を消灯する。これにより、レンズシャッターの故障（異常）を検出し、レンズシャッターやプロジェクター内部の過熱を防止することが可能になる。
【００１４】
［適用例５］上記適用例に係るプロジェクターにおいて、前記シャッター判定部の判定結果が、開状態でない場合に、前記レンズシャッターが開状態となっていない旨を報知するシャッター異常報知部をさらに備えることを特徴とする。
【００１５】
このようなプロジェクターによれば、シャッター異常報知部は、レンズシャッターが開状態でない場合に、その旨を報知する。これにより、ユーザーは、レンズシャッターの異常を認識することができる。
【００１６】
［適用例６］本適用例に係るプロジェクターの制御方法は、光源と、前記光源から射出された光を、画像情報に応じて画像光に変調する光変調装置と、前記光変調装置で変調された前記画像光を投写する投写レンズと、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、を有するプロジェクターの制御方法であって、前記光源を点灯させるためのオン操作を受け付けるオン操作受付ステップと、前記レンズシャッターが閉状態において、前記オン操作受付ステップによって前記オン操作を受け付けると、前記光源を点灯させる光源点灯ステップと、前記光源が点灯した状態で、前記照度センサーから出力される照度情報に基づいて、前記照度センサーの動作状態を検証するセンサー検証ステップと、前記センサー検証ステップによって前記動作状態が不正であると判定された場合に、前記光源を消灯する光源消灯ステップと、を備えることを特徴とする。
【００１７】
このようなプロジェクターによれば、照度センサーの故障を検出し、レンズシャッターやプロジェクター内部の過熱を防止することが可能になる。
【００１８】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１９】
【図１】実施形態のプロジェクターを前方から見た斜視図であり、（ａ）は、レンズシャッターを閉塞した状態の斜視図、（ｂ）は、レンズシャッターを開放した状態の斜視図。
【図２】プロジェクターの概略構成を示すブロック図。
【図３】プロジェクターの照度センサー、およびレンズシャッターの動作検証処理を表すフローチャート。
【発明を実施するための形態】
【００２０】
（実施形態）
以下、実施形態として、光源から射出された光を画像信号に基づいて変調して画像光を形成し、この画像光を外部のスクリーン等に投写するプロジェクターについて、図面を参照して説明する。
【００２１】
図１は、本実施形態のプロジェクターを前方から見た斜視図であり、（ａ）は、レンズシャッターを閉塞した状態の斜視図であり、（ｂ）は、レンズシャッターを開放した状態の斜視図である。
図１（ａ），（ｂ）に示すように、プロジェクター１は、装置本体を収容する筐体５を備えて構成されており、筐体５の上面５ｔには、ユーザーにより入力操作が行われる操作パネル２１が配置されている。
【００２２】
筐体５の前面５ｆには、レンズシャッター４１が設けられている。レンズシャッター４１は、モーター等のシャッター駆動部（図１では図示せず）によって、駆動される。図１（ａ）では、投写レンズ１３および開口部７を覆うようにレンズシャッター４１が閉塞された状態となっている。プロジェクター１を使用しない場合には、このようにレンズシャッター４１を閉塞することで、投写レンズ１３の保護やプロジェクター１の内部への埃の侵入等を防ぐことができる。また、レンズシャッター４１の投写レンズ１３に対向する面には、照度センサー４２が設置されている。
【００２３】
図１（ｂ）に示すように、レンズシャッター４１が開放されると、開口部７に設けられた投写レンズ１３が露出される。そして、プロジェクター１は、画像情報に基づく画像を前方の投写面（図１では図示せず）に投写することができる。
【００２４】
図２は、プロジェクター１の概略構成を示すブロック図である。
図２に示すように、プロジェクター１は、画像投写部１０、制御部２０、操作パネル２１、光源制御部２２、ＬＥＤ（Light Emitting Diode）制御部２３、ＬＥＤ２４、画像情報入力部３０、画像処理部３１、ＯＳＤ処理部３２、シャッター駆動部４０、レンズシャッター４１、照度センサー４２等を備えている。
【００２５】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２６】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２８】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。また、制御部２０は、タイマー（図示せず）を内蔵しており、計時を行う。
【００２９】
操作パネル２１は、ユーザーのキー操作を受け付ける操作受付部に相当するものであり、ユーザーがプロジェクター１に対して各種指示を行うための複数の操作キーを備えている。本実施形態の操作パネル２１が備える操作キーとしては、電源のオン・オフを切り替えるための電源キー、入力された画像情報を切り替えるための入力切替キー、各種設定用のメニュー画像を表示させるメニューキー、メニュー画像における項目の選択等に用いられる方向キー、選択した項目を確定させるための決定キー等がある。
【００３０】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３１】
光源制御部２２は、制御部２０の指示に基づいて、光源装置１１に対する電力の供給と停止とを制御し、光源ランプ１１ａの点灯および消灯を切り替える。
【００３２】
ＬＥＤ制御部２３は、制御部２０の指示に基づいて、ＬＥＤ２４に対する電力の供給と停止とを制御し、ＬＥＤ２４の点灯および消灯を切り替える。
【００３３】
ＬＥＤ２４は、ＬＥＤ制御部２３によって制御される１つまたは複数のＬＥＤである。本実施形態では、ＬＥＤ２４は、その点灯状態（色、点滅パターン等）によって使用者に異常（故障）状態を報知する。
【００３４】
シャッター駆動部４０は、モーターやギヤ等（いずれも図示せず）を有して構成されており、制御部２０の指示に基づいて、レンズシャッター４１を可動させる。シャッター駆動部４０は、レンズシャッター４１を、投写レンズ１３を覆うように閉塞させる閉塞位置と投写レンズ１３を開放させる開放位置との間を移動させる。
【００３５】
照度センサー４２は、フォトダイオード等を有して構成される。照度センサー４２は、レンズシャッター４１の投写レンズ１３に対向する面に設置される。本実施形態では、照度センサー４２の設置位置は、レンズシャッター４１が開放された際に、投写レンズ１３に近い位置とする。そして、照度センサー４２は、レンズシャッター４１の投写レンズ１３に対向する面における照度を検出する。これにより、レンズシャッター４１が閉塞されており、光源ランプ１１ａが消灯されている場合には、照度センサー４２は、低い照度の値を検出する。レンズシャッター４１が閉塞されており、光源ランプ１１ａが点灯されている場合には、照度センサー４２は、高い照度の値を検出する。また、レンズシャッター４１が開放されており、光源ランプ１１ａが点灯されている場合には、照度センサー４２には直接光が照射されないため、低い照度の値を検出する。さらに、レンズシャッター４１が途中（中間）まで開放されており、光源ランプ１１ａが点灯されている場合には、照度センサー４２の設置位置が投写レンズ１３に近い位置にあるため、高い照度の値を検出する。照度センサー４２がこのように検出した照度の値は、制御部２０によって取得される。
【００３６】
画像情報入力部３０は、複数の入力端子を備えており、これらの入力端子には、ビデオ再生装置やパーソナルコンピューター等、図示しない外部の画像供給装置から各種形式の画像情報が入力される。制御部２０からの指示に基づき、画像情報入力部３０は画像情報を選択し、選択した画像情報を画像処理部３１に出力する。
【００３７】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００３８】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００３９】
液晶駆動部１４が、ＯＳＤ処理部３２から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００４０】
次に、プロジェクター１の動作について説明する。プロジェクター１の操作パネル２１に備わる電源キーが押下され、電源オンされると、プロジェクター１は動作を開始する。このときの電源キーがオン操作受付部に相当する。なお、電源オフの状態では、プロジェクター１のレンズシャッター４１は閉状態となっている。
図３は、プロジェクター１の照度センサー４２、およびレンズシャッター４１の動作検証処理を表すフローチャートである。
【００４１】
電源キーが押下されると、制御部２０は、光源制御部２２に指示を出して、光源ランプ１１ａを点灯させる（ステップＳ１０１）。このときの制御部２０および光源制御部２２が、光源点灯部に相当する。また、このとき、画像処理部３１は、画像情報の全ての画素値を、光透過率が最大となる画素値に設定しておくことが好ましい。そして、制御部２０は、内蔵するタイマーを用いて２秒間の待ち処理を行う（ステップＳ１０２）。これは、光源ランプ１１ａの立ち上がりを待つための時間である。なお、待ち時間は２秒に限定するものではない。
【００４２】
制御部２０は、照度センサー４２の検出値を取得する（ステップＳ１０３）。制御部２０は、照度センサー４２の検出値が、第１の値以上か否かを判断する（ステップＳ１０４）。ここで、第１の値とは、光源ランプ１１ａが点灯して、投写レンズ１３からの投写光が、照度センサー４２に照射されているか否かを判定するための照度の値とする。このときの制御部２０が、センサー検証部に相当する。
【００４３】
照度センサー４２の検出値が第１の値以上であった場合（ステップＳ１０４：ＹＥＳ）、制御部２０は、シャッター駆動部４０に指示を出して、レンズシャッター４１を開放させる（ステップＳ１０５）。このときの制御部２０およびシャッター駆動部４０が、シャッター開放部に相当する。そして、制御部２０は、内蔵するタイマーを用いて２秒間の待ち処理を行う（ステップＳ１０６）。これは、レンズシャッター４１が開放されるのを待つための時間である。なお、待ち時間は２秒に限定するものではない。
【００４４】
制御部２０は、照度センサー４２の検出値を取得する（ステップＳ１０７）。制御部２０は、照度センサー４２の検出値が、第２の値以下か否かを判断する（ステップＳ１０８）。ここで、第２の値とは、レンズシャッター４１が開放位置に移動することにより、投写レンズ１３からの投写光が、照度センサー４２に直接照射されなくなったか否かを判定するための照度の値とする。このように投写レンズ１３からの投写光が、照度センサー４２に直接照射されなくなったか否かを判定する制御部２０が、シャッター判定部に相当する。
【００４５】
照度センサー４２の検出値が第２の値以下であった場合（ステップＳ１０８：ＹＥＳ）、制御部２０は、内蔵するタイマーを用いて５分間の待ち処理を行う（ステップＳ１０９）。そして、制御部２０は、照度センサー４２の検出値を取得する（ステップＳ１１０）。制御部２０は、照度センサー４２の検出値が、第２の値以下か否かを判断する（ステップＳ１１１）。照度センサー４２の検出値が第２の値以下であった場合（ステップＳ１１１：ＹＥＳ）、ステップＳ１０９に移行し、５分間毎の照度センサー４２の値検出を行う。
【００４６】
照度センサー４２の検出値が第１の値以上でなかった場合（ステップＳ１０４：ＮＯ）、制御部２０は、光源制御部２２に指示を出して、光源ランプ１１ａを消灯させる（ステップＳ１１２）。このように光源ランプ１１ａを消灯させるときの制御部２０および光源制御部２２が、光源消灯部に相当する。そして、制御部２０は、ＬＥＤ制御部２３に指示を出して、照度センサー４２の故障（異常）を表すパターンで、ＬＥＤ２４を点滅させる（ステップＳ１１３）。このときのＬＥＤ制御部２３およびＬＥＤ２４が、センサー不正報知部に相当する。そして、プロジェクター１の照度センサー４２およびレンズシャッター４１の動作検証処理を終了する。
【００４７】
照度センサー４２の検出値が第２の値以下でなかった場合（ステップＳ１０８：ＮＯ、および、ステップＳ１１１：ＮＯ）、制御部２０は、光源制御部２２に指示を出して、光源ランプ１１ａを消灯させる（ステップＳ１１４）。そして、制御部２０は、ＬＥＤ制御部２３に指示を出して、レンズシャッター４１の異常（故障）を表すパターンで、ＬＥＤ２４を点滅させる（ステップＳ１１５）。このときのＬＥＤ制御部２３およびＬＥＤ２４が、シャッター異常報知部に相当する。そして、プロジェクター１の照度センサー４２およびレンズシャッター４１の動作検証処理を終了する。
【００４８】
上述したように、プロジェクター１は、照度センサー４２が故障（異常）となっているか否か、および、レンズシャッター４１の位置が異常（故障）となっているか否かを検出することができる。
【００４９】
上述した実施形態によれば、以下の効果が得られる。
（１）プロジェクター１は、レンズシャッター４１が閉塞された閉状態において、電源オン操作を受け付けると、光源ランプ１１ａを点灯する。制御部２０は、レンズシャッター４１の投写レンズ１３に対向する面に設置された照度センサー４２が検出した照度の値が、第１の値以上であるか否かを判定する。照度センサー４２が検出した照度の値が、第１の値以上である場合、制御部２０は、照度センサー４２の動作状態は正常であると判断して、レンズシャッター４１を開放する。照度センサー４２が検出した照度の値が、第１の値未満である場合、制御部２０は、照度センサー４２は照度を正しく検出しておらず、動作状態が異常（故障、不正）であると判断して、光源ランプ１１ａを消灯する。これにより、照度センサー４２の故障を検出し、光源ランプ１１ａを消灯することによって、レンズシャッター４１やプロジェクター１の内部が過熱してしまう事態を回避することが可能になるため、有益である。
【００５０】
（２）プロジェクター１は、照度センサー４２の動作状態が異常（故障、不正）であると判断した場合に、ＬＥＤ２４の点滅により、その旨を報知する。これにより、ユーザーは、照度センサー４２の故障を認識することができるため、有益である。そして、ユーザーは、プロジェクター１の使用を中止して、修理等の対応を行うことが可能になる。
【００５１】
（３）プロジェクター１は、照度センサー４２の動作状態が正常（正当）であると判定した場合に、レンズシャッター４１が開状態となるようにシャッター駆動部４０を駆動させる。そして、制御部２０は、レンズシャッター４１を駆動させた２秒後に、照度センサー４２が検出した照度の値が、第２の値以下か否かを判定する。照度センサー４２が検出した照度の値が、第２の値以下の場合、制御部２０は、レンズシャッター４１が開状態になったと判断する。照度センサー４２が検出した照度の値が、第２の値より大きい場合、制御部２０は、レンズシャッター４１が開状態になっていないと判断し、光源ランプ１１ａを消灯する。これにより、レンズシャッター４１の異常（故障、動作不良）を検出し、正常に開状態になってない場合に、光源ランプ１１ａを消灯することによって、レンズシャッター４１やプロジェクター１の内部が過熱してしまう事態を回避することが可能になるため、有益である。
【００５２】
（４）プロジェクター１は、レンズシャッター４１が開状態となった後も、レンズシャッター４１が開状態であるか否か、即ち照度センサー４２が検出した照度の値が、第２の値以下か否かの判定を、所定のタイミング（５分）毎に行う。そして、判定結果が開状態でない場合に、光源ランプ１１ａを消灯する。これにより、レンズシャッター４１の異常（故障、誤動作）等によって、開状態でなくなってしまう（閉状態になったり、途中まで閉塞されたりする）事態を検出することが可能となり、レンズシャッター４１やプロジェクター１の内部が過熱してしまう事態を回避することができるため、有益である。
【００５３】
（５）プロジェクター１は、レンズシャッター４１が正常に開状態になっていないと判断した場合に、ＬＥＤ２４の点滅により、その旨を報知する。これにより、ユーザーは、レンズシャッター４１の開閉状態の異常を認識することができるため、有益である。そして、ユーザーは、プロジェクター１の使用を中止して、修理等の対応を行うことが可能になる。
【００５４】
なお、上述した実施形態に限定されず、種々の変更や改良等を加えて実施することが可能である。変形例を以下に述べる。
【００５５】
（変形例１）上記実施形態では、照度センサー４２の設置位置は、レンズシャッター４１の投写レンズ１３に対向する面における、レンズシャッター４１が開放された際に投写レンズ１３に近い位置とした。しかし、照度センサー４２の設置位置は、レンズシャッター４１が閉状態のときに、投写レンズ１３から射出された投写光を受光でき、レンズシャッター４１が開位置のときに、投写光が直接照射されない位置であれば、その位置を限定するものではない。具体的には、レンズシャッター４１が開位置では、照度センサー４２が検出する照度は、第２の値以下とし、レンズシャッター４１が閉位置または開位置と閉位置の中間にある場合では、照度センサー４２の検出する照度が、第２の値より大きければよい。
【００５６】
（変形例２）上記実施形態では、照度センサー４２は、フォトダイオードを有して構成されるものとしたが、照度センサー４２の構成はこれに限定するものではない。例えば、フォトトランジスター等を有する構成としてもよい。
【００５７】
（変形例３）上記実施形態では、センサー不正報知部およびシャッター異常報知部は、ＬＥＤ制御部２３およびＬＥＤ２４としたが、ＬＥＤに限定するものではない。例えば、プロジェクター１に表示パネル（図示せず）を備えるものとし、当該表示パネルに照度センサー４２の不正状態やレンズシャッター４１の異常状態を表示してもよいし、ブザー（図示せず）等によって、音で報知してもよい。
【００５８】
（変形例４）上記実施形態では、プロジェクター１は、レンズシャッター４１が開状態となった後、所定のタイミングとして５分毎に照度センサー４２の値を検出して、レンズシャッター４１が開状態であるか否かを検出するものとしたが、所定のタイミングは５分毎に限定するものではない。他の時間毎に検出を行ってもよいし、所定のトリガーによって、検出を行ってもよい。例えば、入力された画像情報を切り替えるための入力切替のタイミング等としてもよい。
【００５９】
（変形例５）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００６０】
（変形例６）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００６１】
１…プロジェクター、５…筐体、５ｆ…前面、５ｔ…上面、７…開口部、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…光源制御部、２３…ＬＥＤ制御部、２４…ＬＥＤ、３０…画像情報入力部、３１…画像処理部、３２…ＯＳＤ処理部、４０…シャッター駆動部、４１…レンズシャッター、４２…照度センサー。
【図１】
2014142388.tif 000003
【図２】
2014142388.tif 000004
【図３】
2014142388.tif 000005